(57)【要約】【課題】使い勝手が良く、信頼性の高い通信装置を提供する。【解決手段】通信装置１００は、ユーザから指定宛先情報を受け付ける宛先受付部１０１と、指定宛先情報に付加する所定の付加情報を記憶する付加情報記憶部１０５と、宛先受付部１０１が受け付けた指定宛先情報に付加情報を付加して通信宛先情報を作成する宛先作成部１０３と、通信宛先情報を宛先として通信を行う通信部１０７と、通信宛先情報から付加情報を削除して、指定宛先情報のみをユーザに提示する宛先表示部１１３と、を備える。【選択図】図１
2008283553.tif 000002
【特許請求の範囲】
【請求項１】
ユーザから指定宛先情報を受け付ける宛先受付部と、
前記指定宛先情報に付加する所定の付加情報を記憶する付加情報記憶部と、
前記宛先受付部が受け付けた前記指定宛先情報に前記付加情報を付加して通信宛先情報を作成する作成部と、
前記通信宛先情報を宛先として通信を行う通信部と、
前記通信宛先情報から前記付加情報を削除して、前記指定宛先情報のみを前記ユーザに提示する提示部と、を備える通信装置。
【請求項２】
請求項１に記載の通信装置において、
前記通信部による通信履歴を記録する履歴記録部を備え、
前記履歴記録部は、前記通信宛先情報から前記付加情報を削除した前記指定宛先情報のみを前記通信履歴に記録する通信装置。
【請求項３】
請求項２に記載の通信装置において、
前記提示部および前記履歴記録部において前記付加情報を削除してそれぞれ提示および記録をするか否かの設定を受け付ける設定受付部を備え、
受け付けた設定に従って、前記提示部および前記履歴記録部において前記付加情報を削除してそれぞれ提示および記録するか否かを切り替える通信装置。
【請求項４】
請求項２または３いずれかに記載の通信装置において、
前記提示部および前記履歴記録部において、前記付加情報を削除したとき、削除したことを示す識別情報をそれぞれ提示および記録する通信装置。
【請求項５】
請求項４に記載の通信装置において、
前記識別情報を提示および記録したとき、前記提示部および前記履歴記録部はそれぞれ、削除した前記付加情報を別途提示および記録する通信装置。
【請求項６】
請求項１乃至５いずれかに記載の通信装置において、
ユーザから通信種別を受け付ける種別受付部を備え、
前記付加情報記憶部は、前記通信種別毎に所定の付加情報を対応付けて記憶し、
前記作成部は、受け付けた前記通信種別に対応する前記付加情報を前記指定宛先情報に付加して前記通信宛先情報を作成する通信装置。
【請求項７】
請求項６に記載の通信装置において、
前記通信種別毎に登録する前記付加情報を受け付ける付加情報受付部を備え、
前記付加情報記憶部は、受け付けた前記付加情報を前記通信種別毎に対応付けて記憶する通信装置。
【発明の詳細な説明】
【技術分野】
【０００１】
本発明は、通信装置に関し、特に、ユーザが指定した宛先情報に付加情報を付加して通信宛先として通信可能な通信装置に関する。
【背景技術】
【０００２】
ファクシミリ装置では、送信中に宛先情報をディスプレイ上に表示したり、通信履歴として記録したりすることが従来より行われている。しかしながら、ファクシミリ装置は複数のユーザにより共有して利用されることが多く、宛先情報が第３者にも報知されてしまうことになり、宛先情報を他者に知られたくないような場合には好ましくない。従来のファクシミリ装置としては、たとえば特許文献１に記載されたものがある。同文献に記載されたファクシミリ装置は、送信先情報を非報知にする設定を受け付け、報知を禁止するものである。これにより、必要に応じて送信先を秘匿することが可能となる。
【０００３】
近年、ユーザから指定された宛先情報に対して予め登録されたプレフィックスまたはサフィックスを付加して宛先として通信を行う通信装置も出てきた。
【特許文献１】特開２００２−３５４２７１号公報
【発明の開示】
【発明が解決しようとする課題】
【０００４】
しかしながら、上記従来技術は、以下の点で改善の余地を有していた。
第一に、プレフィックスまたはサフィックスを付加することで、宛先情報が長くなり、限られた表示エリアまたは通信履歴の印字エリアでは、情報が煩雑で見づらくなったり、あるいは途中で途切れてしまうことがあった。特に、必要な部分が途切れて見えなくなってしまうこともあった。
【０００５】
第二に、たとえば、Ｇ３ファックス番号をユーザは指定しているが、実際はファックスをゲートウェイサーバに転送して通信していて、ゲートウェイサーバで通信に課金請求なされるような場合、Ｇ３ファックス番号にゲートウェイサーバのアドレスを付加して通信するが、ゲートウェイサーバのアドレスが漏洩し、悪用されることで予期されない費用を請求される可能性がある。このようにセキュリティ上付加情報を他者に報知したくない場合に対応していない。
【０００６】
本発明は上記事情に鑑みてなされたものであり、その目的とするところは、使い勝手が良く、信頼性の高い通信装置を提供することにある。
【課題を解決するための手段】
【０００７】
本発明によれば、ユーザから指定宛先情報を受け付ける宛先受付部と、
前記指定宛先情報に付加する所定の付加情報を記憶する付加情報記憶部と、
前記宛先受付部が受け付けた前記指定宛先情報に前記付加情報を付加して通信宛先情報を作成する作成部と、
前記通信宛先情報を宛先として通信を行う通信部と、
前記通信宛先情報から前記付加情報を削除して、前記指定宛先情報のみを前記ユーザに提示する提示部と、を備える通信装置が提供される。
【０００８】
この発明によれば、セキュリティ上、第３者に知られたくない情報を含む付加情報を削除して宛先情報をユーザに提示するので、信頼性が向上する。また、実際の宛先情報より短い情報をユーザは指定するだけで、送信に必要な付加情報を付加して宛先情報を作成して通信することができるので、操作が簡単になる。また、付加情報が付加された実際の宛先情報が長くなった場合、宛先を提示する際、煩雑で見にくくなるが、付加情報を削除して提示することができるので、情報が見やすくなる。このように本発明の通信装置によれば、使い勝手も向上する。
【０００９】
上記通信装置において、前記通信部による通信履歴を記録する履歴記録部を備えることができ、前記履歴記録部は、前記通信宛先情報から前記付加情報を削除した前記指定宛先情報のみを前記通信履歴に記録することができる。
【００１０】
上記通信装置において、前記提示部および前記履歴記録部において前記付加情報を削除してそれぞれ提示および記録をするか否かの設定を受け付ける設定受付部を備えることができ、受け付けた設定に従って、前記提示部および前記履歴記録部において前記付加情報を削除してそれぞれ提示および記録するか否かを切り替えることができる。
【００１１】
上記通信装置において、前記提示部および前記履歴記録部において、前記付加情報を削除したとき、削除したことを示す識別情報をそれぞれ提示および記録することができる。
【００１２】
上記通信装置において、前記識別情報を提示および記録したとき、前記提示部および前記履歴記録部はそれぞれ、削除した前記付加情報を別途提示および記録することができる。
【００１３】
上記通信装置において、ユーザから通信種別を受け付ける種別受付部を備えることができ、前記付加情報記憶部は、前記通信種別毎に所定の付加情報を対応付けて記憶し、前記作成部は、受け付けた前記通信種別に対応する前記付加情報を前記指定宛先情報に付加して前記通信宛先情報を作成することができる。
【００１４】
上記通信装置において、前記通信種別毎に登録する前記付加情報を受け付ける付加情報受付部を備えることができ、前記付加情報記憶部は、受け付けた前記付加情報を前記通信種別毎に対応付けて記憶することができる。
【００１５】
なお、以上の構成要素の任意の組合せ、本発明の表現を方法、装置、システム、記録媒体、コンピュータプログラムなどの間で変換したものもまた、本発明の態様として有効である。
【発明の効果】
【００１６】
本発明によれば、使い勝手が良く、信頼性の高い通信装置が提供される。
【発明を実施するための最良の形態】
【００１７】
以下、本発明の実施の形態について、図面を用いて説明する。尚、すべての図面において、同様な構成要素には同様の符号を付し、適宜説明を省略する。
【００１８】
図１は、本発明の実施の形態に係る通信装置の要部構成を示す機能ブロック図である。本実施形態の通信装置１００は、ユーザから指定宛先情報を受け付ける宛先受付部１０１と、指定宛先情報に付加する所定の付加情報を記憶する付加情報記憶部１０５と、宛先受付部１０１が受け付けた指定宛先情報に付加情報を付加して通信宛先情報を作成する作成部（宛先作成部１０３）と、通信宛先情報を宛先として通信を行う通信部１０７と、通信宛先情報から付加情報を削除して、指定宛先情報のみをユーザに提示する提示部（宛先表示部１１３、記録部１０９）と、を備える。
【００１９】
通信装置１００は、たとえば、ファクシミリ装置、ＩＰファクシミリ装置、ＭＦＰ（Multi Functional Peripheral）などであり、電話機、ＩＰ（Internet Protocol）電話機、メール送受信装置としての機能を有してもよい。なお、図１において、本発明の本質に関わらない部分の構成については省略してあり、たとえば、電話機の構成であるＮＣＵ（Network Control Unit）、モデム、回線制御部、ファクシミリ装置の構成である画像処理部やＧ３ファクシミリ通信処理部などは図示されていない。
【００２０】
また、通信装置１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２１】
詳細には、通信装置１００は、宛先受付部１０１と、宛先作成部１０３と、付加情報記憶部１０５と、通信部１０７と、記録部１０９と、通信履歴記憶部１１１と、宛先表示部１１３と、を備える。
【００２２】
宛先受付部１０１は、ユーザが図示されない操作部から入力または選択して指定した指定宛先情報を受け付ける。たとえば、電話番号、ファックス番号や内線番号の入力を受け付けたり、アドレス帳から選択されたり、短縮キーなどで指定された電話番号、ファックス番号や内線番号を受け付ける。具体的には、はじめにユーザが指定した電話、ＩＰ電話、Ｇ３ファックス、ＩＰファックス、メールなどの通信手段の種別を受け付け、続いて宛先を受け付ける。
【００２３】
宛先作成部１０３は、宛先受付部１０１が受け付けた指定宛先情報に予め付加情報記憶部１０５に登録されている付加情報を付加して通信宛先情報を作成する。付加情報記憶部１０５は、図２に示すように、たとえば、通信手段２０１毎に、指定宛先情報に付加するプレフィックス（Prefix）２０３またはサフィックス（Suffix）２０５を対応付けて記憶している。プレフィックス２０３は、指定宛先情報の前に付加する情報であり、サフィックス２０５は、指定宛先情報の後に付加する情報である。
【００２４】
例として、通信手段２０１がＧ３ファックスの場合、本実施形態では、ファックス転送用ゲートウェイサーバを経由してＧ３ファックスを送信するものとする。この場合、指定宛先情報としてＧ３ファックス番号を宛先受付部１０１が受け付け、宛先作成部１０３が指定宛先情報にプレフィックス２０３として"Fax="を付加し、サフィックス２０５として"@faxgateway.aaabbbccc.co.jp"を付加する。
【００２５】
また、ダイレクトＳＭＴＰ機能を用いたメール送信の場合、指定宛先情報として内線番号を宛先受付部１０１が受け付け、宛先作成部１０３が指定宛先情報にプレフィックス２０３として、"192.168.100."を付加する。
【００２６】
この他の例として、たとえば、電話やＩＰ電話の場合、指定宛先情報として電話番号を宛先受付部１０１が受け付け、宛先作成部１０３が指定宛先情報にプレフィックス２０３として、外線発信指定の"００１"を付加することもできる。あるいは、メール送信の場合、指定宛先情報として、メールアドレスのアカウント部、たとえば、＠マークの左側を宛先受付部１０１が受け付け、宛先作成部１０３が指定宛先情報にサフィックス２０５として、メールドメインを付加することもできる。
【００２７】
図１に戻り、通信部１０７は、宛先作成部１０３が作成した通信宛先情報を宛先として選択された通信種別に従って通信を行う。通信部１０７は、公衆回線網を介した通話やファックス、インターネットなどのネットワークを介したファクシミリ通信、メール送信などの通信処理を行うことができる。
【００２８】
記録部１０９は、通信部１０７で行った通信を記録する。たとえば、図３に示すように、通信履歴２２０または通信履歴２３０を記録し、通信履歴記憶部１１１に記録する。本実施形態において、通信履歴記憶部１１１に記録される通信履歴２２０または通信履歴２３０は、図３（ａ）または図３（ｂ）に示すように、付加情報が削除された宛先２２１または宛先２３１が記録される。通信履歴記憶部１１１に記録された通信履歴２２０は、図示されない印字部によって所定のタイミングまたはユーザの指示に従って印字出力することができる。あるいは、表示部（不図示）に表示させることができる。
【００２９】
他の実施形態において、図４（ａ）または図４（ｂ）に示すような付加情報が付加された実際の宛先２２６または宛先２３６が記録された通信履歴２２５または通信履歴２３５と、図３（ａ）または図３（ｂ）に示す付加情報が削除された通信履歴２２０または通信履歴２３０のいずれにするかのユーザの設定を受け付ける設定受付部を備えることができる。記録部１０９は、受け付けた設定に従って、通信履歴に付加情報を記録するか削除するかを切り替えることができる。設定受付部の設定は、装置単位、あるいは通信種別毎に設定可能としてもよい。
【００３０】
図１に戻り、宛先表示部１１３は、宛先作成部１０３が作成し、通信部１０７で通信した通信宛先情報からプレフィックス２０３およびサフィックス２０５と一致する部分を削除して表示する。あるいは、宛先表示部１１３は、宛先受付部１０１が受け付けた指定宛先情報のみを表示する。たとえば、アドレス帳から宛先を選択した場合は、アドレス帳の宛先に予め登録されている宛名のみを表示することができる。他の実施形態において、上述の設定受付部の設定に従って、宛先表示部１１３は、付加情報を削除して指定宛先情報のみを表示するか否かを切り替えることができる。
【００３１】
このように構成された本実施形態の通信装置１００の動作について、以下に説明する。図５は、本実施形態の通信装置１００の動作の一例を示すフローチャートである。以下、図１乃至図５を用いて説明する。
【００３２】
はじめに、ファックス転送用ゲートウェイサーバ経由でＧ３ファックス送信を行う場合について説明する。まず、ユーザは操作部を用いて送信先のＧ３ファックス番号のみを入力し、ファックス送信を指示すると、図１の宛先受付部１０１が、通信手段としてＧ３ファックス送信を受け付け（ステップＳ１１）、Ｇ３ファックス番号を受け付け、入力された番号を図１の宛先表示部１１３に表示する（ステップＳ１３）。
【００３３】
ここで、送信するデータは、たとえば、画像データであり、ＴＩＦＦやＪＰＥＧ、ＰＤＦ形式のファイルとすることができる。画像データファイルは、メールに添付されて送信される。画像データ以外にも、テキストなどを含むこともできる。これらの画像データは、通信装置１００のスキャナ部（不図示）で読み取られたものでもよいし、他の通信装置（不図示）からネットワークを介してメール受信部（不図示）が受信したものであってもよい。あるいは、他の記憶装置に記憶された画像データをネットワークを介して読み込んだものであってもよいし、記録媒体から読み込んだものであってもよい。
【００３４】
図１の宛先作成部１０３が図２の通信手段２０１のＧ３ファックスに対応するプレフィックス２０３"Fax="およびサフィックス２０５"@faxgateway.aaabbbccc.co.jp"を付加する（ステップＳ１５）。そして、図１の通信部１０７が、通信を行う（ステップＳ１７）。このとき、図１の宛先表示部１１３には、通信中の宛先として、付加情報であるプレフィックス２０３およびサフィックス２０５が削除された指定宛先情報のみ、すなわちＧ３ファックス番号のみが表示される。また、図１の記録部１０９が宛先として付加情報が削除された指定宛先情報のみを含む図３（ａ）に示す通信履歴２２０を通信履歴記憶部１１１に記録する（ステップＳ１９）。
【００３５】
ファックス転送用ゲートウェイサーバ経由でＧ３ファックス送信を行うケースにおいて、ファックス転送用ゲートウェイサーバは、たとえば社外のサービスを利用している場合に、通信毎に課金請求される。このような場合に、上述のプレフィックス２０３およびサフィックス２０５の情報が漏洩し、悪用されることによって予期しない費用を請求される危険性がある。本実施形態の通信装置１００では、実際に通信に使用される宛先情報から、ファックス転送用ゲートウェイサーバを特定可能なプレフィックス２０３およびサフィックス２０５を含む付加情報を削除した指定宛先情報のみを提示するので、悪用されることを防ぐことができ、セキュリティが向上する。
【００３６】
次に、ダイレクトＳＭＴＰ送信を行う場合について、説明する。まず、ユーザは操作部を用いて送信先の内線番号を入力し、ダイレクトＳＭＴＰ送信を指示すると、図１の宛先受付部１０１が、通信手段としてダイレクトＳＭＴＰ送信を受け付け（Ｓ１１）、内線番号を受け付け、入力された番号を図１の宛先表示部１１３に表示する（Ｓ１３）。
【００３７】
図１の宛先作成部１０３が図２の通信手段２０１のダイレクトＳＭＴＰに対応するプレフィックス２０３"192.168.100."を付加する（Ｓ１５）。そして、図１の通信部１０７が送信データをメールに添付して通信を行う（Ｓ１７）、このとき、図１の宛先表示部１１３には、通信中の宛先として、付加情報であるプレフィックス２０３が削除された指定宛先情報、すなわち、内線番号のみが表示される。また、図１の記録部１０９が宛先として付加情報が削除された指定宛先情報のみを含む図３（ｂ）に示す通信履歴２３０を通信履歴記憶部１１１に記録する（Ｓ１９）。
【００３８】
ダイレクトＳＭＴＰ送信の場合も、相手先のＩＰアドレスが漏洩すると、サブネットのアドレスが知られてしまい、悪意を持って相手先の装置やネットワークをダウンさせることが可能になるなどの危険性がある。本実施形態の通信装置１００では、実際に通信に使用される宛先情報から、サブネットのアドレスを示すプレフィックス２０３を含む付加情報を削除した指定宛先情報のみを提示するので、悪用されることを防ぐことができ、セキュリティが向上する。
【００３９】
以上説明したように、本発明の実施の形態の通信装置１００によれば、セキュリティ上、第３者に知られたくないようなプレフィックスまたはサフィックスを含む付加情報を削除して宛先情報をユーザに提示するので、信頼性が向上する。また、実際の宛先情報より短い情報をユーザは指定するだけで、送信に必要な付加情報を付加して宛先情報を作成して通信することができるので、操作が簡単になる。また、付加情報が付加された実際の宛先情報は長くなった場合、表示部に表示したり、通信履歴に印字したりする際、煩雑で見にくくなるが、付加情報を削除して表示したり、印字したりすることができるので、情報が見やすくなる。このように本発明の通信装置１００によれば、使い勝手も向上する。
【００４０】
以上、図面を参照して本発明の実施形態について述べたが、これらは本発明の例示であり、上記以外の様々な構成を採用することもできる。
【００４１】
たとえば、宛先表示部１１３および記録部１０９において、付加情報を削除したとき、削除したことを示す識別情報、たとえば所定のマークをそれぞれ提示および記録することができる。さらに、この構成において、識別情報を提示および記録したとき、宛先表示部１１３および記録部１０９はそれぞれ、削除した付加情報を別途提示および記録することができる。たとえば、記録部１０９は、通信履歴２２０の欄外に、削除したプレフィックス２０３およびサフィックス２０５を記録することができる。
【００４２】
削除された付加情報の提示および記録を別途行うか否かの指定は、たとえば管理者などの所定のユーザのみに許可するようにすることもできる。管理者は認証手続きを行い、認証されたユーザのみに付加情報の提示を行わせるようにしてもよい。
【図面の簡単な説明】
【００４３】
【図１】本発明の実施の形態に係る通信装置の要部構成を示す機能ブロック図である。
【図２】図１の付加情報記憶部の構造の一例を示す図である。
【図３】図１の通信履歴記憶部の構造の一例を示す図である。
【図４】図１の通信履歴記憶部の構造の一例を示す図である。
【図５】図１の通信装置の動作の一例を示すフローチャートである。
【符号の説明】
【００４４】
１００  通信装置
１０１  宛先受付部
１０３  宛先作成部
１０５  付加情報記憶部
１０７  通信部
１０９  記録部
１１１  通信履歴記憶部
１１３  宛先表示部
２０１  通信手段
２０３  プレフィックス
２０５  サフィックス
２２０  通信履歴
２２１  宛先
２２５  通信履歴
２２６  宛先
２３０  通信履歴
２３１  宛先
２３５  通信履歴
２３６  宛先
【図１】
2008283553.tif 000003
【図２】
2008283553.tif 000004
【図３】
2008283553.tif 000005
【図４】
2008283553.tif 000006
【図５】
2008283553.tif 000007